(57)【要約】【課題】  カップの中から車両模型を周囲に気づかれないように出現させる道具を提供する。【解決手段】車両模型９の車輪１０ａ、１０ｂに接触して回動を規制する部位２、３を設けることで車輪１０ａ、１０ｂが発する音を防ぐ。また、車両模型９の後方で上方に突出する部位４を設けることで保持を容易にし、なおかつ、車両模型９とカップ１２が接触することにより発する音を防ぐ。さらに車両模型９の車輪１０ａ、１０ｂに接触する部位２、３が、車輪１０ａ、１０ｂに接触して回動を規制する位置と、車輪１０ａ、１０ｂから離間して回動の規制を解除する位置に変位可能とすることで、車両模型９を走行可能状態にする。【選択図】  図２
2008283999.tif 000002
【特許請求の範囲】
【請求項１】
車両模型の車輪に接触して回動を規制する部位と、車両模型の前方もしくは後方で上方に突出する部位を設けた手品用器具
【請求項２】
車両模型の車輪に接触する部位が、車輪に接触して回動を規制する位置と、車輪から離間して回動の規制を解除する位置に変位可能である請求項１に記載の手品用器具
【発明の詳細な説明】
【技術分野】
【０００１】
本発明は、車両模型を用いた手品用の器具に関する。
【背景技術】
【０００２】
カップアンドボールやチョップカップと呼ばれる手品の現象の一つに、空のはずのカップの中から物体が出現するというものがある。これは密かに用意した物体を、観客に気付かれないように手に持ったカップに入れ、そのカップを開口部を下に向けた状態でテーブルに置くことにより実現する。
【０００３】
従来、この手品で中に入れる物体には以下の条件があった。
【０００４】
第一の条件として、カップの中に入れたことが観客に気付かれないように音を出さないもの。
【０００５】
第二の条件として、カップの口径に近い直径を持つ、球形に近い形状であることである。これは、カップに物体を入れた後、開口部を下に向けた状態でテーブル上に運ぶが、このとき物体の落下を防ぐために開口部にカップを持つ手の指の一本または二本を当て、物体を受け止める。このとき物体がある程度の大きさを持たないと、指の隙間から落下してしまうためである。
【０００６】
このため、レモンやジャガイモ、タマネギなどの果物や野菜が一般的に使用されている。
【０００７】
この物体として車両模型を使えば、玩具であるため観客の関心をより惹きつけ、演技の面白さが増すものと期待できる。
【発明の開示】
【発明が解決しようとする課題】
【０００８】
しかし、車両模型を使用する場合には次のような問題があった。
【０００９】
車両模型をカップに入れると、車両模型本体とカップがぶつかりカチャカチャと音がして、密かにカップに入れたことが観客に判ってしまった。
【００１０】
さらに、車両模型の車輪部分が回動し、同様にカチャカチャと音が発生し、密かにカップに入れたことが判ってしまった。
【００１１】
そして、車両模型をカップの中に入れた場合、そのカップを開口部を下に向けた状態にすると、指１本又は２本をカップの開口面に当てて受け止めようとしても、その隙間から落ちてしまい保持が難しかった。
【００１２】
また、車両模型をカップの中に入れ、そのカップを開口部を下向きにテーブルに置いたとき、中の車両模型は正立しているとは限らず、カップを取り除いて倒れた状態で出現させた場合、見た目に格好が悪かった。
【課題を解決するための手段】
【００１３】
以上の点を解決するため本発明は、車両模型の車輪に接触して回動を規制する部位と、車両模型の前方もしくは後方で上方に突出する部位を設けた手品用器具である。
【発明の効果】
【００１４】
本発明により以下の効果が期待される。
【００１５】
第一の効果として、手品を演じる際、車両模型をカップの中に入れても音が発生せず、密かに入れたことを観客に気付かれにくい。
【００１６】
第二の効果として、車両模型がどんなに小さくても、カップを開口部を下に向けた状態で落下することがなく、容易に保持できる。
【００１７】
第三の効果として、カップを取り除いて車両模型を出現させた際に、倒れずに正立状態であるので、見た目に格好がよい。
【００１８】
第四の効果として、車両模型を出現と同時に走らせる演出も可能であるので面白さが増し、また、観客の目線が車両模型に引き付けられている間に手品師は必要な密かな行動を行える。
【００１９】
第五の効果として、車両模型の出現というこれまでになかった新しい演出を行うことができ、また、出現した車両模型を贈り物として観客に渡すこともできるので、観客の満足度を更に高めることができる。
【発明を実施するための最良の形態】
【００２０】
以下、本発明の実施の形態を説明する。
【００２１】
図１、図２、図３、図４を参照して本発明の形状を説明する。なお、今回は四輪車の車両模型を使用する場合を例にとっているが、本発明の主旨は車輪の数を限定するものではなく、例えば二輪車や六輪車などの車両模型を使用することもできる。
【００２２】
図１は、硬質の樹脂製で板状の前輪用車輪押さえ部２、後輪用車輪押さえ部３および取手４を連結部５で一体化した保持具１である。なお、本説明では素材を樹脂を例にとって説明するが、金属など容易に変形しないものであれば様々な物を使用することができる。
【００２３】
前輪用車輪押さえ部２と後輪用車輪押さえ部３の中間部分の連結部５には、左右に一対の刻みを入れることで、車輪規制用輪ゴム掛け７を形成する。
【００２４】
前輪用車輪押さえ部２と連結部５の境界部にも、連結部５の左右に一対の刻みを入れることで、車輪開放用輪ゴム掛け８を形成する。
【００２５】
この保持具１を用いるときは、図２に示すように、車両模型９の車体下部に輪ゴム１３をテンションをかけた状態で取り付け、その輪ゴム１３に保持具１を通す。なお、本説明では輪ゴムを例にとって説明を行うが、輪ゴム以外にスプリングなどの弾性体を用いて取り付けることも可能である。
【００２６】
車両模型９の車輪１０ａ、１０ｂの回動を規制する場合は、輪ゴム１３を車輪規制用輪ゴム掛け７に掛ける。
【００２７】
このとき、前輪用車輪押さえ部２は前輪１０ａに、後輪用車輪押さえ部３は後輪１０ｂに接触する位置に設ける。
【００２８】
また、保持具１が車輪１０ａ、１０ｂの回動を規制した状態において、車両模型９と取手４の間にはカップ１２の縁が容易に入る程度の間隔を設けている。
【００２９】
取手４の下方には、カップ１２の縁が掛かるように孔６を設ける。
【００３０】
車両模型９の車輪１０ａ、１０ｂの回動の規制を解除する場合は、図３に示すように、輪ゴム１３を車輪開放用輪ゴム掛け８に掛ける。
【００３１】
このとき、前輪用車輪押さえ部２と後輪用車輪押さえ部３および連結部５の寸法は、全ての車輪１０ａ、１０ｂに接触しないように設定する。
【００３２】
図４に示すように、車輪規制用輪ゴム掛け７の刻みの形状はくさび形とし、その後輪用車輪押さえ部３側の辺は連結部５に直角にする。
【００３３】
車輪開放用輪ゴム掛け８の刻みの形状もくさび形とし、その前輪用車輪押さえ部２側の辺は連結部５に直角にする。
【００３４】
こうすることで車輪規制用輪ゴム掛け７に掛かっている輪ゴム１３は、保持具１を取手４側の方向へ引くことにより、車輪規制用輪ゴム掛け７から外れ車輪開放用輪ゴム掛け８に掛かる。そして、更に保持具１を引いても車輪開放用輪ゴム掛け８から外れない。
【００３５】
すなわち、保持具１は、取手４側の方向へ引くことにより、車輪１０ａ、１０ｂに接触して回動を規制する位置から、車輪１０ａ、１０ｂから離間して回動の規制を解除する位置に変位可能である。
【００３６】
ぜんまいが巻かれた自走式の車両模型９を使用した場合、保持具１に、トルクを持つ車輪１０ａ、１０ｂから、取手４側の方向へ押し動かされる力が働くので、輪ゴム１３が車輪規制用輪ゴム掛け７から自然に外れないように、車輪規制用輪ゴム掛け７のくさび形の刻みの角度は、やや鋭角に設定する。
【００３７】
車輪開放用輪ゴム掛け８を車輪規制用輪ゴム掛け７に近接させるため、車輪開放用輪ゴム掛け８のくさび形の刻みの車輪規制用輪ゴム掛け７側の片の外側の端を車輪規制用輪ゴム掛け７に近接させる。
【００３８】
こうすることにより、車輪規制用輪ゴム掛け７から外れた輪ゴム１３は、直後に近接した車輪開放用輪ゴム掛け８の一部分に掛かる。さらに、輪ゴム１３の収縮力により、連結部５の幅が広い側から狭い側に向けて保持具１が変移する。これにより、車輪１０ａ、１０ｂを規制する位置から離れた保持具１は中途半端な位置にとどまらず、車輪１０ａ、１０ｂに接触しない適切な個所で安定する。
【００３９】
車輪１０ａ、１０ｂの回動の規制を解除した状態から、回動を規制する状態へ戻す場合は、保持具１を前輪用車輪押さえ部２側の方向へ引くことにより、輪ゴム１３が車輪開放用輪ゴム掛け８から外れ、車輪規制用輪ゴム掛け７に掛かる。そして、更に保持具１を引いても車輪規制用輪ゴム掛け７から外れず、車輪１０ａ、１０ｂの回動を規制した状態で保持具１は固定される。
【００４０】
図５、図６を参照して本発明の取り付け方法の一例を説明する。
【００４１】
図５に示すように、車両模型９のシャーシ部１１に輪ゴム１３をテンションをかけた状態で取り付ける。取り付ける位置は、車体のシャーシ部１１の前輪１０ａと後輪１０ｂの間とする。輪ゴム１３が２箇所、外部に出る。
【００４２】
保持具１は、外部に出た輪ゴム１３の後輪１０ｂに近い方の１条に通して、車両模型９に取り付ける。このとき、車輪規制用輪ゴム掛け７に輪ゴム１３を掛ける。
【００４３】
こうすることで、輪ゴム１３のテンションにより前輪用車輪押さえ部２と後輪用車輪押さえ部３が車輪１０ａ、１０ｂに押圧し、車輪１０ａ、１０ｂの自由な回動を規制する。すなわち、車輪１０ａ、１０ｂからカチャカチャとした音が発生しなくなる。さらに、その位置に保持具１は固定される。また、ぜんまいによる自走式の車両模型９の場合、ぜんまいを巻き上げておいても走り出すことなく保持される。
【００４４】
そして、車輪１０ａ、１０ｂの回動を開放するときは、図６に示すように、取手４をつまむなどして保持具１を車両模型９の後部方向に引く。
【００４５】
すると、輪ゴム１３から車輪規制用輪ゴム掛け７が外れ、新たに車輪開放用輪ゴム掛け８部分が掛かる。
【００４６】
さらに、輪ゴム１３はその収縮力により、車輪開放用輪ゴム掛け８の刻みが最も深い個所に掛かり、保持具１は適切な位置に固定される。
【００４７】
この結果、前輪用車輪押さえ部２と後輪用車輪押さえ部３が車輪１０ａ、１０ｂから完全に離れ、車輪１０ａ、１０ｂは回動可能になり、車両模型９は動けるようになる。ぜんまいによる自走式の車両模型９の場合、予めぜんまいを巻き上げておけば走り出す。
【００４８】
以上説明したように、本実施の形態の保持具１は、車両模型９に輪ゴム１３によってテンションをかけた状態で取り付けられる保持具１であって、前輪１０ａに接触して回動を規制すると前輪用車輪押さえ部２と、後輪１０ｂに接触して回動を規制すると後輪用車輪押さえ部３と車両模型９の後方で上方に突出する４を一体的に設けた保持具１である。
【００４９】
図２、図７、図８を参照して本発明の使用方法の一例を説明する。まず、車両模型９をカップ１２に入れる時は、図２に示すように、車輪１０ａ、１０ｂの回動を規制した状態にする。こうすることで、車輪１０ａ、１０ｂの回動によるカチャカチャという音の発生を防ぐことができる。
【００５０】
次に、取手４をカップ１２の縁に掛け、図７に示すように、取手４をカップ１２の外側から指で押さえて保持する。取手４中央には孔６が設けられているので、円形のカップ１２の縁に押し当てても、保持具１はぐらつかず、安定した保持が可能である。こうすることで、車両模型９本体とカップ１２がぶつからず、カチャカチャという音が発生しないので、密かにカップに入れたことを観客に気づかれない。なお、図７は説明の便宜上透視図だが実際の使用においては不可視であり、観客からはカップ１２内にある車両模型９が確認できないようになっている。
【００５１】
そして、カップ１２を開口部を下向きにした状態でテーブルに置くと、車両模型９は正立した状態でテーブル上に置かれる。
【００５２】
さらに、カップ１２から出ている取手４をカップ１２の外側の方向に引き、車両模型９の車輪１０ａ、１０ｂの回動の規制を解除し、車両模型９を動ける状態にする。
【００５３】
最後に、図８に示すように、カップ１２を持ち上げると、車両模型９が正立状態で観客の前に出現する。出現の際カップ１２の内側の端で車両模型９をコツンと弾くと車両模型９は走り出る。
【００５４】
ぜんまいを巻き上げた自走式の車両模型９を用いる場合は、カップ１２を持ち上げると同時に観客の前に走り出る。さらに、カップ１２が紙コップのように軽い場合はカップ１２をかぶったままでも走行可能であるので、伏せたカップ１２がひとりでに動きだすなどという、今までになかった新しい演出を行うことも可能になる。
【００５５】
なお、本発明を用いれば、車両模型９のみならず人形など別の物体も同様に正立させた状態で出現させることも可能になる。
【図面の簡単な説明】
【００５６】
【図１】本発明の手品用器具を示す斜視図
【図２】本発明の手品用器具が車両模型の車輪に接触する位置にある場合の断面図
【図３】本発明の手品用器具が車両模型の車輪に接触しない位置にある場合の断面図
【図４】本発明の手品用器具が車両模型の車輪に接触しない位置にある場合の底面図
【図５】本発明の手品用器具が車両模型の車輪に接触する位置にある場合の斜視図
【図６】本発明の手品用器具が車両模型の車輪に接触しない位置にある場合の斜視図
【図７】本発明の手品用器具の使用状態を示す説明図
【図８】本発明の手品用器具の使用状態を示す説明図
【符号の説明】
【００５７】
１  保持具
２  前輪用車輪押さえ部
３  後輪用車輪押さえ部
４  取手
５  連結部
６  孔
７  車輪規制用輪ゴム掛け
８  車輪解放用輪ゴム掛け
９  車両模型
１０ａ  前輪
１０ｂ  後輪
１１  シャーシ部
１２  カップ
１３  輪ゴム
【図１】
2008283999.tif 000003
【図４】
2008283999.tif 000004
【図５】
2008283999.tif 000005
【図６】
2008283999.tif 000006
【図７】
2008283999.tif 000007
【図８】
2008283999.tif 000008
【図２】
2008283999.tif 000009
【図３】
2008283999.tif 000010
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
カップの中に入れた車両模型の車輪に接触して回動を規制する車輪押さえ部と、前記車両模型の前方もしくは後方で上方に突出して前記カップの縁に掛かる部位を設けた手品用器具。
【請求項２】
前記車輪押さえ部が、前記車両模型が前記カップの中に入っている状態で、前記車輪に接触して回動を規制する位置と、前記車輪から離間して回動の規制を解除する位置に変位可能である請求項１に記載の手品用器具。